(57)【要約】【課題】  清掃具において、柄を持って操作する作業者が身体を大きく曲げることなく清掃でき、かつ作業者が柄に加える清掃操作力を清掃面へ清掃圧として伝わり易くすること。【解決手段】  柄１１と清掃ヘッド１３とを連結する連結部１２を有する清掃具１０であって、連結部１２はその一方側において清掃ヘッド１３とヒンジ結合されるとともに、その他方側において柄１１と連続し、ヒンジ結合とは異なる位置において連結部１２と清掃ヘッド１３との間に弾性体１４を介してなるもの。【選択図】  図１
2008188183.tif 000002
【特許請求の範囲】
【請求項１】
柄と清掃ヘッドとを連結する連結部を有する清掃具であって、
連結部はその一方側において清掃ヘッドとヒンジ結合されるとともに、その他方側において柄と連続し、
ヒンジ結合とは異なる位置において連結部と清掃ヘッドとの間に弾性体を介している清掃具。
【請求項２】
前記清掃ヘッドが取付凹部を備え、連結部の先端突部を清掃ヘッドの取付凹部に差し込んでヒンジを構成する請求項１に記載の清掃具。
【請求項３】
前記弾性体が蛇腹状筒体からなる請求項１又は２に記載の清掃具。
【請求項４】
柄と連結部とが屈曲部を介して連続する請求項１〜３のいずれかに記載の清掃具。
【発明の詳細な説明】
【技術分野】
【０００１】
本発明は清掃具に関する。
【背景技術】
【０００２】
清掃具として、特許文献１に記載の如くの柄付きブラシがある。柄付きブラシは、柄の先端にブラシ本体を連結したものであり、柄とブラシ本体の交差角度を固定化している。このような柄付きブラシによりバスタブの側面や底面を清掃するときには、作業者は身体を大きく曲げる必要がある。
【０００３】
他方、特許文献２に記載の清掃具（モップ）は、柄の先端に弾性のある湾曲板の一端側を設け、この湾曲板の他端側にモップを取付けている。作業者は、バスタブの側面や底面を清掃するに際し、柄とモップをつなぐ湾曲板の弾性変形を利用し、柄とモップの交差角度を自在に変更し、身体を大きく曲げることなく清掃できるとするものである。
【特許文献１】特許3826010
【特許文献２】実公昭60-16351
【発明の開示】
【発明が解決しようとする課題】
【０００４】
特許文献２に記載の清掃具にあっては、作業者が柄とモップをつなぐ湾曲板の弾性変形を利用し、柄と清掃ヘッドの交差角度を自在に変更することにより身体を大きく曲げることなく清掃できるとしても、作業者が柄に加える清掃操作力が湾曲板の変形によって大きく緩和され、清掃ヘッドから清掃面への清掃圧として伝わりにくく、汚れ除去性能の向上に困難がある。
【０００５】
本発明の課題は、清掃具において、柄を持って操作する作業者が身体を大きく曲げることなく清掃でき、かつ作業者が柄に加える清掃操作力を清掃面へ清掃圧として伝わり易くすることにある。
【課題を解決するための手段】
【０００６】
請求項１の発明は、柄と清掃ヘッドとを連結する連結部を有する清掃具であって、連結部はその一方側において清掃ヘッドとヒンジ結合されるとともに、その他方側において柄と連続し、ヒンジ結合とは異なる位置において連結部と清掃ヘッドとの間に弾性体を介したものである。
【発明を実施するための最良の形態】
【０００７】
清掃具１０は、図１〜図３に示す如く、柄１１と清掃ヘッド１３を連結部１２により連結し、連結部１２はその一方側のヒンジ結合部１２Ａにおいて清掃ヘッド１３とヒンジ結合されるとともに、その他方側において柄１１と連続し、ヒンジ結合部１２Ａとは異なる位置において連結部１２と清掃ヘッド１３との間に弾性体１４を介している。ここで、連結部１２のヒンジ結合部１２Ａに対して柄１１が連続する他方側とは、連結部１２の他方端部だけでなく、連結部１２のヒンジ結合部１２Ａとは異なる位置の中間領域も含まれる。
【０００８】
柄１１は基端をグリップ１１Ａとし、清掃ヘッド１３の側で連結部１２と連続し、図１〜３に示す如く柄１１と連結部１２との連続部分が屈曲部１１Ｂをなして一体に形成されている。尚、柄１１と連結部１２との連続は、一体に形成されるほか、着脱可能に結合されたものであっても良い。
【０００９】
連結部１２は、端部を先端突部１２Ｂとし、先端突部１２Ｂとは異なる位置において清掃ヘッド１３との間に弾性体１４を介している。図１〜図３に示す連続部１２は、清掃ヘッド１３とのヒンジ結合部１２Ａと屈曲部１１Ｂとの間の領域において清掃ヘッド１３との間に弾性体１４を備える。また、連結部１２の中間領域において柄１１と連結部１２とが連続する場合には、ヒンジ結合部１２Ａとは異なる位置であれば、柄１１との連続位置によらず連結部１２と清掃ヘッド１３との間に弾性体１４を設けることができる。
【００１０】
清掃ヘッド１３は板状をなし、清掃ヘッド１３の裏面にスポンジ又はブラシ等の清掃手段１５を着脱可能に設けている。清掃ヘッド１３は表面の前端側に孔状の取付凹部１３Ａを備え、連結部１２の先端突部１２Ｂを清掃ヘッド１３の後方に臨む取付凹部１３Ａの開口から該取付凹部１３Ａに差し込んで連結部１２のヒンジ結合部１２Ａを構成する。柄１１は連結部１２のヒンジ結合部１２Ａを中心として清掃ヘッド１３に対し主として前後方向に回転し、柄１１と清掃ヘッド１３の交差角度ａ（図１）を変更可能にする。尚、連結部１２を基準に柄１１に対して清掃ヘッド１３の側を前方で清掃具１０による清掃進み方向とし、清掃ヘッド１３に対する柄１１の側を後方で反清掃進み方向とする。
【００１１】
弾性体１４は蛇腹状筒体１４Ａからなり、適宜の伸縮強度（伸縮に対する抵抗力）を備える。蛇腹状筒体１４Ａは清掃ヘッド１３の表面で連結部１２のヒンジ結合部１２Ａの後方であって、連結部１２の下面に接着等により固定され、又は着脱可能に設けられる。蛇腹状筒体１４Ａは、好ましくは連結部１２における柄１１と連続する位置（屈曲部１１Ｂ）の近傍で清掃ヘッド１３と連結部１２との間に伸縮可能にその両端を固定され、又は着脱可能に設けられる。
【００１２】
清掃具１０は、柄１１のグリップ１１Ａを下方に押下する力を連結部１２のヒンジ結合部１２Ａまわりで弾性体１４（蛇腹状筒体１４Ａ）に伝えてこの弾性体１４を圧縮し、柄１１を連結部１２のヒンジ結合部１２Ａまわりで清掃ヘッド１３に対し回転し、柄１１と清掃ヘッド１３の前述の交差角度ａを適宜の小角度ａｘ（図２）に変更可能にする。柄１１と清掃ヘッド１３の交差角度ａは概ね直角であっても良いが、直角よりも小さな鋭角であることが好ましい。また、清掃具１０は、柄１１のグリップ１１Ａを前後に押し引きする力を連結部１２のヒンジ結合部１２Ａ及び弾性体１４（蛇腹状筒体１４Ａ）に伝え、清掃ヘッド１３に設けてある清掃手段１５を清掃面上で摺動させ、清掃面上の汚れを除去する。
【００１３】
清掃具１０は、清掃ヘッド１３の裏面に清掃手段１５を着脱することにより、新旧の清掃手段１５を簡易に交換できる。尚、清掃ヘッド１３に清掃手段１５を一体にし、清掃ヘッド１３及び清掃手段１５を一体で交換させる場合には、清掃ヘッド１３に対し柄１１と弾性体１４の両者を着脱するものになる。
【００１４】
本実施例によれば以下の作用効果を奏する。
（請求項１）
(a)作業者は、バスタブの側面や床面を清掃するに際し、柄１１と清掃ヘッド１３を連結する連結部１２のヒンジ結合部１２Ａの回転、及び連結部１２と清掃ヘッド１３の間の弾性体１４（蛇腹状筒体１４Ａ）の弾性変形を利用し、柄１１と清掃ヘッド１３の交差角度を自在に変更し、身体を大きく曲げることなく清掃できる。
【００１５】
(b)作業者が柄１１に加える清掃操作力は連結部１２のヒンジ結合部１２Ａを介することにより、弾性体１４（蛇腹状筒体１４Ａ）によって大きく緩和されることなく、清掃ヘッド１３から清掃面への清掃圧として伝わり易く、汚れ除去性能を向上できる。
【００１６】
（請求項２）
(c)清掃ヘッド１３が柄取付凹部１３Ａを備え、連結部１２の先端突部１２Ｂを清掃ヘッド１３の柄取付凹部１３Ａに差し込むことにより、連結部１２のヒンジ結合部１２Ａを簡易に構成できる。
【００１７】
（請求項３）
(d)弾性体１４が蛇腹状筒体１４Ａからなるものとすることにより、弾性体１３の耐座屈性を確保し、連結部１２に対する清掃ヘッド１３の屈曲性に一定の節度を与え、柄１１と清掃ヘッド１３の交差角度の変更の安定を図ることができる。また、蛇腹状筒体１４Ａの伸縮力（ばね力）の設定により、作業者が柄１１に加える清掃操作力の清掃ヘッド１３への伝達性能も適宜に調整でき、汚れ除去性能を一層向上できる。
【００１８】
（請求項４）
(e)柄１１と連結部１２とが屈曲部１１Ｂを介して連結しているので、作業者が柄１１に加える力は、清掃ヘッド１３に清掃方向に進める力と被清掃面を押圧する力の両方を効果的に与えることが可能となり、作業者が柄１１に加える清掃操作力は、ヒンジ結合部１２Ａを介して被清掃面に伝わり易く、汚れ除去性能を向上できる。
【００１９】
尚、清掃具１０において、柄１１、連結部１２、清掃ヘッド１３、弾性体１４（蛇腹状筒体１４Ａ）は合成樹脂からなるものとすることが防錆上好ましく、金属等であっても良い。
【００２０】
また、清掃具１０において、弾性体１４は、蛇腹状筒体１４Ａに限らず、コイルばね、板ばね等であっても良い。
【００２１】
また、清掃具１０において、連結部１２のヒンジ結合部１２Ａは、連結部１２の先端と清掃ヘッド１３をピン等のヒンジ部材により連結するもの、あるいは、清掃ヘッド１３と連結部１２と一体形成した薄肉部分であっても良い。
【図面の簡単な説明】
【００２２】
【図１】図１は清掃具の自由状態を示す模式図である。
【図２】図２は清掃具の柄と清掃ヘッドの交差角度を変更した状態を示す模式図である。
【図３】図３は図１の要部拡大図である。
【符号の説明】
【００２３】
１０  清掃具
１１  柄
１１Ｂ  屈曲部
１２  連結部
１２Ａ  先端突部
１２Ａ  ヒンジ結合部
１２  ヒンジ
１３  清掃ヘッド
１３Ａ  柄取付凹部
１４  弾性体
１４Ａ  蛇腹状筒体
【図１】
2008188183.tif 000003
【図２】
2008188183.tif 000004
【図３】
2008188183.tif 000005